【事件の表示】
　平成　４年特許願第１９９１４７号「図形登録処理方法および装置」拒絶査定に対する審判事件［平成　６年　３月１８日出願公開、特開平　６−　７６００８］について、次のとおり審決する。
【結　論】
　本件審判の請求は、成り立たない。
【理　由】
１　手続の経緯・本願発明
　本願は、平成４年７月２日の出願であって、その請求項１に係る発明（以下「本願発明」という）は、平成１３年７月１１日付け、及び平成１３年１０月１２日付け手続補正により補正された明細書及び図面の記載からみて、特許請求の範囲の請求項１に記載された次のとおりのものである。
「【請求項１】　基本図形と基本図形のパラメータを定義する手順とを登録しておき、登録された基本図形を呼び出し、登録された手順に従って入力されたパラメータに応じて、基本図形の構成要素を変化させる図形登録処理装置の図形登録処理方法において、
　前記パラメータの入力段階において新たな図形を作成し、
　前記作成された図形を、前記登録されている基本図形とは無関係の新たな基本図形として登録する
　ことを特徴とする図形登録処理方法。」
２　引用刊行物
　これに対して、原査定の拒絶理由で引用した特開平４−９００６６号公報（平成４年３月２４日出願公開。以下「引用例」という。）には、「パラメトリック図形登録処理方法及びその装置」の発明に関し、
　ア「本発明は、ＣＡＤシステムにおいて建築図等の図形の登録処理および登録手順を編集する方法および装置に関する」（２頁左上欄１６行〜１８行）こと、
　イ「本発明は上記の問題点を解消するもので、図形登録するステップ途中における登録編集および既登録図形の定義変更ができるようにして、登録ミスの訂正、変更要求に対して、少ない労力で対応することができ、また、必要に応じて変形図形毎に一時的な変形基点を与えることができるようにして所望の変形を行うことができ、さらに、追従図形の移動・変形の基準を変形対象図形の各端点毎の移動量に限定することにより、各端点の接続状態に関係なくパラメトリック変形を行うことができるパラメトリック図形登録処理方法およびその装置を提供することを目的とする」（３頁左上欄６行〜１７行）こと、
　ウ「上記目的を達成するため請求項１の発明は、基本図形に所定の登録手順にてパラメータを入力して登録対象の図形とし、この登録対象の図形および該登録手順を計算機の記憶装置等に登録する図形登録処理方法にあって、登録手順は、登録対象とする基本図形に対するパラメータを定義する複数のステップを含み、登録途中で既に定義された手順を読み出して編集するようにして、入力されたパラメータに基づいて基本図形を変形するようにした」（３頁左上欄１９行〜右上欄８行」こと、
　エ　その実施例として「上記登録手順に従って、登録対象とする基本図形に二股分岐図形を指示し、同図右側に分岐した部分を伸ばして変形させ、再度登録する場合（中略）予め登録されていた二股分岐の基本図を登録対象とする図形として指示すると、ディスプレイ上に、第４図（ａ）に示されるような、変形前の二股分岐図が表示される。そして、マウス３を操作してカーソルを移動させ、ウインドの表示の変数種別の「線分長」を選択する。さらに、対応図形として線分“ａ”を指定し、追従モードとして「一時基点」を選び、始点からの比率を入力する。その後、追従図形としてマウスカーソルにて、線分“ａ”以外の部分を指示し、登録ファイル名を入力する。するとＣＰＵ７は、変形前の二股分岐図の座標値から、上記設定された構成パラメータによる変動量を演算して図形データを作成し、第４図（ｂ）に示されるような、変形後の図形とパラメータ定義手順とがハードディスク１のファイルに登録される。次に、登録対象とする基本図形として長方形を指示し、同図の左辺のみを伸ばして変形させてから、登録対象図形とする場合を、第５図（ａ）〜（ｃ）を参照して説明する。オペレータが、登録対象とする図形として、第５図（ａ）に示されるような、基本図の長方形を指示し、マウスカーソルにて、ウインド表示の変数種別の「線分長」を選択する。さらに、対応図形として線分“ａ”を指定し、追従モードとして「平行移動」を選び、マウスカーソルにて変更移動量を決める。すると、ＣＰＵ７は、第５図（ｃ）に示されるテーブルａ寸法およびｂ寸法より、上記設定された変動量を演算して図形データを作成し、第５図（ｂ）に示されるような図形変形が行われる。その後、この変形後の図形とパラメータ定義手順が登録される」（５頁左上欄１５行〜右下欄３行）こと、がそれぞれ記載されている。
３　対比・判断   
　そこで、本願発明と引用例に記載された発明とを対比すると、
　引用例に記載された発明は、前記２ア〜ウの記載から明らかなように、図形登録するステップ途中における登録編集および既登録図形の定義変更ができるようにして、登録ミスの訂正、変更要求に対して、少ない労力で対応することができるパラメトリック図形登録処理方法およびその装置を提供することを目的とし、基本図形に所定の登録手順にてパラメータを入力して登録対象の図形とし、この登録対象の図形および該登録手順を計算機の記憶装置等に登録する図形登録処理方法であって、登録手順は、登録対象とする基本図形に対するパラメータを定義する複数のステップを含み、登録途中で既に定義された手順を読み出して編集するようにして、入力されたパラメータに基づいて基本図形を変形するようにしたものであり、
　具体的には、前記２エの記載から明らかなように、予め登録されていた二股分岐、長方形等の基本図形を指示してディスプレイ上に表示し、変数種別の「線分長」と、対応図形としての線分、および「追従モード」等を選択し、登録ファイル名を入力し、ＣＰＵは、変形前の基本図形の座標値から上記設定されたパラメータによる変動量を演算して図形データを作成し、変形後の図形（新たな図形に相当）を作成し、この変形後の図形とパラメータ定義手順とをハードディスクのファイルに登録するものであるから、両者は、
「基本図形と基本図形のパラメータを定義する手順とを登録しておき、登録された基本図形を呼び出し、登録された手順に従って入力されたパラメータに応じて、基本図形の構成要素を変化させる図形登録処理装置の図形登録処理方法において、前記パラメータの入力段階において新たな図形を作成し、前記作成された図形を、新たな基本図形として登録する図形登録処理方法」である点で一致し、次の点で相違する。
(相違点)
　本願発明は、作成された図形を「前記登録されている基本図形とは無関係の新たな基本図形」として登録しているのに対して、引用例に記載された発明は、この点について明記がない点。
　そこで、上記相違点について検討すると、
　作成された図形を、既に登録されている基本図形に対し関係あるものとして登録するか、関係ないものとして登録するかは、単なる決めの問題であって当業者が適宜なし得ることであり、また、既に登録されている基本図形を基に、これとは異なる構成要素をもつ図形を作成し、これを新たな基本図形として登録することも当業者に周知である（必要であれば、特開昭５９−１９７９３０号公報参照）から、これらのことを勘案すると、作成された図形を「前記登録されている基本図形とは無関係の新たな基本図形」とすることは、当業者が格別の創意工夫を要することなく容易になし得ることである。
　そして、本願発明の構成によりもたらされる効果も引用例から当業者が容易に予測し得る程度のものであり、格別のものではない。
４　むすび
　以上のとおりであるから、本願発明は、引用例に記載された発明に基いて当業者が容易に発明をすることができたものと認められるので、特許法第２９条第２項の規定により、特許を受けることができない。
　よって、結論のとおり審決する。